(57)【特許請求の範囲】
【請求項１】
第１ゲートウェイ装置によってアイドル状態のユーザ端末に対するパケットが着信された場合に、該ユーザ端末の呼び出しを行う呼び出し方法であって、
第２ゲートウェイ装置が、前記第１ゲートウェイ装置に着信したパケットのマッピング先となるベアラのベアラ情報からなる前記パケットの着信種別情報を呼び出し要求信号に設定し、該呼び出し要求信号をコアネットワーク装置に送信する工程と、
前記コアネットワーク装置が、前記第２ゲートウェイ装置からの前記呼び出し要求信号に含まれる前記着信種別情報に基づいて、前記ユーザ端末の呼び出しを行うか否かを判断する工程と、
を有することを特徴とする呼び出し方法。
【請求項２】
前記ユーザ端末の呼び出しを行うか否かを判断する工程において、前記コアネットワーク装置は、前記呼び出し要求信号に含まれる前記着信種別情報と該コアネットワーク装置の輻輳状態とに基づいて、前記ユーザ端末の呼び出しを行うか否かを判断することを特徴とする請求項１に記載の呼び出し方法。
【請求項３】
前記着信種別情報は、前記パケットを伝送するためのベアラを識別するベアラ識別情報と、前記ベアラのＱｏＳを示すベアラＱｏＳ情報と、の少なくとも一つに基づいて、設定されることを特徴とする請求項１又は請求項２に記載の呼び出し方法。
【請求項４】
前記着信種別情報は、前記ベアラ識別情報と前記ベアラＱｏＳ情報とを含むことを特徴とする請求項１又は請求項２に記載の呼び出し方法。
【請求項５】
第１ゲートウェイ装置によってアイドル状態のユーザ端末に対するパケットが着信された場合に、該ユーザ端末の呼び出しを行う呼び出し方法であって、
第２ゲートウェイ装置が、前記第１ゲートウェイ装置に着信したパケットのマッピング先となるベアラのベアラ情報からなる前記パケットの着信種別情報を呼び出し要求信号に設定し、該呼び出し要求信号をコアネットワーク装置に送信する工程と、
前記コアネットワーク装置が、前記第２ゲートウェイ装置からの前記呼び出し要求信号に含まれる前記着信種別情報に基づいて、前記ユーザ端末を呼び出すための呼出情報を呼び出し信号に設定し、該呼び出し信号を無線アクセスネットワーク装置に送信する工程と、
前記無線アクセスネットワーク装置が、前記コアネットワーク装置からの前記呼び出し信号に含まれる前記呼出情報に基づいて、前記ユーザ端末の呼び出しを行うか否かを判断する工程と、
を有することを特徴とする呼び出し方法。
【請求項６】
前記着信種別情報は、前記パケットを伝送するためのベアラを識別するベアラ識別情報と、前記ベアラのＱｏＳを示すベアラＱｏＳ情報と、の少なくとも一つに基づいて、設定されることを特徴とする請求項５に記載の呼び出し方法。
【請求項７】
前記着信種別情報は、前記ベアラ識別情報と前記ベアラＱｏＳ情報とを含むことを特徴とする請求項６に記載の呼び出し方法。
【請求項８】
前記呼出情報は、前記着信種別情報として設定された前記ベアラＱｏＳ情報に基づいて、設定されることを特徴とする請求項６又は請求項７に記載の呼び出し方法。
【請求項９】
第１ゲートウェイ装置によってアイドル状態のユーザ端末に対するパケットが着信された場合に、該ユーザ端末の呼び出しを行うコアネットワーク装置であって、
前記第１ゲートウェイ装置に接続された第２ゲートウェイ装置から、前記第１ゲートウェイ装置に着信したパケットのマッピング先となるベアラのベアラ情報からなる前記パケットの着信種別情報を含む呼び出し要求信号を受信し、
受信した前記呼び出し要求信号に含まれる前記着信種別情報に基づいて、前記ユーザ端末の呼び出しを行うか否かを判断することを特徴とするコアネットワーク装置。
【請求項１０】
前記コアネットワーク装置は、前記呼び出し要求信号に含まれる前記着信種別情報と該コアネットワーク装置の輻輳状態とに基づいて、前記ユーザ端末の呼び出しを行うか否かを判断することを特徴とする請求項９に記載のコアネットワーク装置。
【請求項１１】
第１ゲートウェイ装置によってアイドル状態のユーザ端末に対するパケットが着信された場合に、該ユーザ端末の呼び出しを行う無線アクセスネットワーク装置であって、
コアネットワーク装置が、前記第１ゲートウェイ装置に接続された第２ゲートウェイ装置から、前記第１ゲートウェイ装置に着信したパケットのマッピング先となるベアラのベアラ情報からなる前記パケットの着信種別情報を含む呼び出し要求信号を受信した場合に、該コアネットワーク装置から、前記着信種別情報に基づいて設定された呼出情報を含む呼び出し信号を受信し、
前記コアネットワーク装置からの前記呼び出し信号に含まれる前記呼出情報に基づいて、前記ユーザ端末の呼び出しを行うか否かを判断することを特徴とする無線アクセスネットワーク装置。
【請求項１２】
アイドル状態のユーザ端末に対するパケットが着信された場合に、コアネットワーク装置に対して呼び出し要求信号を送信し、前記コアネットワーク装置から無線アクセスネットワーク装置を介して前記ユーザ端末の呼び出しを行なわせるゲートウェイ装置であって、
着信したパケットのマッピング先となるベアラのベアラ情報からなる前記パケットの着信種別情報を前記呼び出し要求信号に設定し、該呼び出し要求信号を前記コアネットワーク装置に送信し、前記コアネットワーク装置において前記呼び出し要求信号に含まれる前記着信種別情報に基づいて、前記ユーザ端末の呼び出しを行うか否かを判断させることを特徴とするゲートウェイ装置。
【請求項１３】
アイドル状態のユーザ端末に対するパケットが着信された場合に、コアネットワーク装置に対して呼び出し要求信号を送信し、前記コアネットワーク装置から無線アクセスネットワーク装置を介して前記ユーザ端末の呼び出しを行なわせるゲートウェイ装置であって、
着信したパケットのマッピング先となるベアラのベアラ情報からなる前記パケットの着信種別情報を前記呼び出し要求信号に設定し、該呼び出し要求信号を前記コアネットワーク装置に送信し、前記コアネットワーク装置において前記着信種別情報に基づいて設定された呼出情報を含む呼び出し信号を無線アクセスネットワーク装置へ送信させ、前記無線アクセスネットワーク装置において前記呼び出し信号に含まれる前記呼出情報に基づいて、前記ユーザ端末の呼び出しを行うか否かを判断させることを特徴とするゲートウェイ装置。
【発明の詳細な説明】
【技術分野】
【０００１】
本発明は、アイドル状態のユーザ端末宛てのパケットが着信された場合に、当該ユーザ端末の呼び出しを行う呼び出し方法、コアネットワーク装置、無線アクセスネットワーク装置及びゲートウェイ装置に関する。
【背景技術】
【０００２】
従来、移動通信システムでは、アイドル状態のユーザ端末に対してパケットの着信があった場合、コアネットワークに設けられたコアネットワーク装置（例えば、ＭＭＥ（Ｍｏｂｉｌｉｔｙ  Ｍａｎａｇｅｍｅｍｅｎｔ  Ｅｎｔｉｔｙ）やＳＧＳＮ（Ｓｅｒｖｉｎｇ  ＧＰＲＳ  Ｓｕｐｐｏｒｔ  Ｎｏｄｅ）など）が、無線アクセスネットワークに設けられた無線アクセスネットワーク装置（例えば、ＲＮＣ（Ｒａｄｉｏ  Ｎｅｔｗｏｒｋ  Ｃｏｎｔｒｏｌｌｅｒ）／ＢＳＣ（Ｂａｓｅ  Ｓｔａｔｉｏｎ  Ｃｏｎｔｒｏｌｌｅｒ）やｅＮｏｄｅＢなど）に対して、ユーザ端末を呼び出すページング信号を送信する。無線アクセスネットワーク装置は、コアネットワーク装置から受信したページング信号に応じて、ユーザ端末を呼び出すページング信号を送信する。ユーザ端末は、無線アクセスネットワーク装置から送信されたページング信号に応じて、コアネットワーク装置との間で着信処理を行う（例えば、非特許文献１）。
【０００３】
また、かかる移動通信システムでは、アイドル状態のユーザ端末に対してパケットの着信があった場合、コアネットワーク装置や無線アクセスネットワーク装置において、当該ユーザ端末の呼び出しを規制する呼び出し規制を行うことが知られている。このような呼び出し規制は、例えば、コアネットワーク装置や無線アクセスネットワーク装置が輻輳状態である場合などに行われる。
【先行技術文献】
【非特許文献】
【０００４】
【非特許文献１】３ＧＰＰ  ＴＳ２３．４０１
【発明の概要】
【発明が解決しようとする課題】
【０００５】
しかしながら、上述の移動通信システムでは、コアネットワーク装置や無線アクセスネットワーク装置において上述の呼び出し規制が行われる場合、アイドル状態のユーザ端末宛に届くパケットの種別に関係なく、当該ユーザ端末の呼び出しを中止してしまう。このため、着信させるべき優先度の高いパケット（例えば、混雑時でも疎通させたい通信に属するパケット）を受信した場合でも、アイドル状態のユーザ端末を呼び出すことができない場合があるという問題点があった。
【０００６】
本発明は、かかる点に鑑みてなされたものであり、アイドル状態のユーザ端末に対するパケットの着信があった場合に、当該ユーザ端末の呼び出しを柔軟に行うことが可能な呼び出し方法、コアネットワーク装置、無線アクセスネットワーク装置及びゲートウェイ装置を提供することを目的とする。
【課題を解決するための手段】
【０００７】
本発明の第１側面に係る呼び出し方法は、第１ゲートウェイ装置によってアイドル状態のユーザ端末に対するパケットが着信された場合に、該ユーザ端末の呼び出しを行う呼び出し方法であって、第２ゲートウェイ装置が、前記第１ゲートウェイ装置に着信したパケットのマッピング先となるベアラのベアラ情報からなる前記パケットの着信種別情報を呼び出し要求信号に設定し、該呼び出し要求信号をコアネットワーク装置に送信する工程と、前記コアネットワーク装置が、前記第２ゲートウェイ装置からの前記呼び出し要求信号に含まれる前記着信種別情報に基づいて、前記ユーザ端末の呼び出しを行うか否かを判断する工程と、を有することを特徴とする。
【０００８】
この構成によれば、第２ゲートウェイ装置が、第１ゲートウェイ装置で着信されたアイドル状態のユーザ端末に対するパケットについての着信種別情報を呼び出し要求信号に設定するので、コアネットワーク装置は、呼び出し要求信号に含まれる着信種別情報に基づいて、ユーザ端末の呼び出しを行うべきか否かを判断できる。したがって、コアネットワーク装置は、例えば、自装置が輻輳状態である場合など通常ユーザ端末の呼び出し規制が行われる状況であっても、着信種別情報の内容によってはユーザ端末の呼び出しを行うことができる。
【０００９】
本発明の第２側面に係る呼び出し方法は、第１ゲートウェイ装置によってアイドル状態のユーザ端末に対するパケットが着信された場合に、該ユーザ端末の呼び出しを行う呼び出し方法であって、第２ゲートウェイ装置が、前記第１ゲートウェイ装置に着信したパケットのマッピング先となるベアラのベアラ情報からなる前記パケットの着信種別情報を呼び出し要求信号に設定し、該呼び出し要求信号をコアネットワーク装置に送信する工程と、前記コアネットワーク装置が、前記第２ゲートウェイ装置からの前記呼び出し要求信号に含まれる前記着信種別情報に基づいて、前記ユーザ端末を呼び出すための呼出情報を呼び出し信号に設定し、該呼び出し信号を無線アクセスネットワーク装置に送信する工程と、前記無線アクセスネットワーク装置が、前記コアネットワーク装置からの前記呼び出し信号に含まれる前記呼出情報に基づいて、前記ユーザ端末の呼び出しを行うか否かを判断する工程と、を有することを特徴とする。
【００１０】
この構成によれば、コアネットワーク装置が、第２ゲートウェイ装置からの呼び出し要求信号に含まれる着信種別情報に基づいて呼出情報を呼び出し信号に設定するので、無線アクセスネットワーク装置は、呼び出し信号に含まれる呼出情報に基づいて、ユーザ端末の呼び出しを行うことができる。したがって、無線アクセスネットワーク装置は、例えば、自装置が輻輳状態である場合など通常ユーザ端末の呼び出し規制が行われる状況であっても、呼出情報の内容によってはユーザ端末の呼び出しを行うことができる。
【００１１】
本発明の第３側面に係るコアネットワーク装置は、第１ゲートウェイ装置によってアイドル状態のユーザ端末に対するパケットが着信された場合に、該ユーザ端末の呼び出しを行うコアネットワーク装置であって、前記第１ゲートウェイ装置に接続された第２ゲートウェイ装置から、前記第１ゲートウェイ装置に着信したパケットのマッピング先となるベアラのベアラ情報からなる前記パケットの着信種別情報を含む呼び出し要求信号を受信し、受信した前記呼び出し要求信号に含まれる前記着信種別情報に基づいて、前記ユーザ端末の呼び出しを行うか否かを判断することを特徴とする。
【００１２】
本発明の第４側面に係る無線アクセスネットワーク装置は、第１ゲートウェイ装置によってアイドル状態のユーザ端末に対するパケットが着信された場合に、該ユーザ端末の呼び出しを行う無線アクセスネットワーク装置であって、コアネットワーク装置が、前記第１ゲートウェイ装置に接続された第２ゲートウェイ装置から、前記第１ゲートウェイ装置に着信したパケットのマッピング先となるベアラのベアラ情報からなる前記パケットの着信種別情報を含む呼び出し要求信号を受信した場合に、該コアネットワーク装置から、前記着信種別情報に基づいて設定された呼出情報を含む呼び出し信号を受信し、前記コアネットワーク装置からの前記呼び出し信号に含まれる前記呼出情報に基づいて、前記ユーザ端末の呼び出しを行うか否かを判断することを特徴とする。
【００１３】
本発明の第５側面に係るゲートウェイ装置は、アイドル状態のユーザ端末に対するパケットが着信された場合に、コアネットワーク装置に対して呼び出し要求信号を送信し、前記コアネットワーク装置から無線アクセスネットワーク装置を介して前記ユーザ端末の呼び出しを行なわせるゲートウェイ装置であって、着信したパケットのマッピング先となるベアラのベアラ情報からなる前記パケットの着信種別情報を前記呼び出し要求信号に設定し、該呼び出し要求信号を前記コアネットワーク装置に送信し、前記コアネットワーク装置において前記呼び出し要求信号に含まれる前記着信種別情報に基づいて、前記ユーザ端末の呼び出しを行うか否かを判断させることを特徴とする。
【００１４】
本発明の第６側面に係るゲートウェイ装置は、アイドル状態のユーザ端末に対するパケットが着信された場合に、コアネットワーク装置に対して呼び出し要求信号を送信し、前記コアネットワーク装置から無線アクセスネットワーク装置を介して前記ユーザ端末の呼び出しを行なわせるゲートウェイ装置であって、着信したパケットのマッピング先となるベアラのベアラ情報からなる前記パケットの着信種別情報を前記呼び出し要求信号に設定し、該呼び出し要求信号を前記コアネットワーク装置に送信し、前記コアネットワーク装置において前記着信種別情報に基づいて設定された呼出情報を含む呼び出し信号を無線アクセスネットワーク装置へ送信させ、前記無線アクセスネットワーク装置において前記呼び出し信号に含まれる前記呼出情報に基づいて、前記ユーザ端末の呼び出しを行うか否かを判断させることを特徴とする。
【発明の効果】
【００１５】
本発明によれば、アイドル状態のユーザ端末に対するパケットの着信があった場合に、当該ユーザ端末の呼び出しを柔軟に行うことが可能な呼び出し方法、コアネットワーク装置、無線アクセスネットワーク装置及びゲートウェイ装置を提供することができる。
【図面の簡単な説明】
【００１６】
【図１】第１の実施形態に係る移動通信システムの概略構成図である。
【図２】第１の実施形態に係る移動通信システムにおける呼び出し処理の機能構成図である。
【図３】第１の実施形態に係る移動通信システムにおける呼び出し動作を示すシーケンス図である。
【図４】第１の実施形態に係るＭＭＥ又はＳＧＳＮにおける呼び出し処理を示すフローチャートである。
【図５】第２の実施形態に係る移動通信システムにおける呼び出し処理の機能構成図である。
【図６】第２の実施形態に係る移動通信システムにおける呼び出し動作を示すシーケンス図である。
【図７】第２の実施形態に係るｅＮｏｄｅＢ又はＲＮＣ／ＢＳＣにおける呼び出し処理を示すフローチャートである。
【図８】第３の実施形態に係る移動通信システムにおける呼び出し処理の機能構成図である。
【図９】変更例１に係る移動通信システムにおける呼び出し処理の機能構成図である。
【発明を実施するための形態】
【００１７】
以下、本発明の実施の形態について図面を参照して詳細に説明する。
【００１８】
［第１の実施形態］
＜移動通信システムの概略構成＞
図１は、第１の実施形態に係る移動通信システムの概略構成図である。図１に示すように、第１の実施形態に係る移動通信システムは、ＬＴＥなどの次世代通信方式と第２／第３世代通信方式との互換性を備えたシステムであり、次世代通信方式のコアネットワークであるＥＰＣ（Ｅｖｏｌｖｅｄ  Ｐａｃｋｅｔ  Ｃｏｒｅ）１と、次世代通信方式の無線アクセスネットワークであるＥ−ＵＴＲＡＮ２と、第２／第３世代通信方式のコアネットワークであるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）／ＧＰＲＳ（Ｇｅｎｅｒａｌ  Ｐａｃｋｅｔ  Ｒａｄｉｏ  Ｓｅｒｖｉｃｅ）コアネットワーク３と、第２／第３世代通信方式の無線アクセスネットワークであるＵＴＲＡＮ／ＧＥＲＡＮ４と、から構成される。
【００１９】
ＵＥ（Ｕｓｅｒ  Ｅｑｕｉｐｍｅｎｔ）１０は、例えば、携帯電話端末、ノートパソコンなど、一つ又は複数の通信方式に対応したユーザ端末である。例えば、図１において、ＵＥ１０は、ＬＴＥなどの次世代通信方式と第２／第３世代通信方式とに対応し、Ｅ−ＵＴＲＡＮ２とＵＴＲＡＮ／ＧＥＲＡＮ４との無線ゾーンの双方に在圏可能である。また、図１において、ＵＥ１０は、ＬＴＥなどの次世代通信方式のみに対応し、Ｅ−ＵＴＲＡＮ２の無線ゾーンのみに在圏可能に構成されていてもよい。
【００２０】
ＥＰＣ１には、インターネットなどのＰＤＮ（Ｐａｃｋｅｔ  Ｄａｔａ  Ｎｅｔｗｏｒｋ）との接続点となるＰ−ＧＷ（ＰＤＮ  Ｇａｔｅｗａｙ）２０（第１ゲートウェイ装置）と、Ｅ−ＵＴＲＡＮ２とＵＴＲＡＮ／ＧＥＲＡＮ４との無線ゾーン間を移動するＵＥ１０のパケット伝送経路のアンカーポイントとなるＳ−ＧＷ（Ｓｅｒｖｉｎｇ  Ｇａｔｅｗａｙ）３０（第２ゲートウェイ装置）と、Ｅ−ＵＴＲＡＮ２の無線ゾーンに在圏するＵＥ１０の呼び出しを行うＭＭＥ４０（コアネットワーク装置）と、が設けられる。Ｓ−ＧＷ３０は、Ｐ−ＧＷ２０とＭＭＥ４０と後述するｅＮｏｄｅＢ５０とＳＧＳＮ６０とに接続される。
【００２１】
Ｅ−ＵＴＲＡＮ２には、Ｅ−ＵＴＲＡＮ２の無線ゾーンに在圏するＵＥ１０と無線通信を行うｅＮｏｄｅＢ５０（無線アクセスネットワーク装置）が設けられる。ｅＮｏｄｅＢ５０は、Ｓ−ＧＷ３０とＭＭＥ４０とに接続される。
【００２２】
ＵＭＴＳ／ＧＰＲＳコアネットワーク３には、ＵＴＲＡＮ／ＧＥＲＡＮ４の無線ゾーンに在圏するＵＥ１０の呼び出しを行うＳＧＳＮ６０（コアネットワーク装置）が設けられる。
【００２３】
ＵＴＲＡＮ／ＧＥＲＡＮ４には、Ｅ−ＵＴＲＡＮ２の無線ゾーンに在圏するＵＥ１０と無線通信を行うＮｏｄｅＢ（不図示）と、ＵＥ１０とＮｏｄｅＢ（不図示）との間の無線通信を制御するＲＮＣ／ＢＳＣ７０（無線アクセスネットワーク装置）が設けられる。ＲＮＣ／ＢＳＣ７０は、ＳＧＳＮ６０に接続される。
【００２４】
図１に示す移動通信システムでは、ＵＥ１０とＰＤＮ（不図示）との間には、Ｐ−ＧＷ２０経由で、ＩＰセッションであるＰＤＮコネクションが設定される。かかるＰＤＮコネクションによって、ＩＰアドレスで識別されるＵＥ１０は、ＡＰＮ（Ａｃｃｅｓｓ  Ｐｏｉｎｔ  Ｎａｍｅ）で識別されるＰＤＮ（不図示）に接続される。
【００２５】
また、図１に示す移動通信システムでは、Ｅ−ＵＴＲＡＮ２の無線ゾーンに在圏するＵＥ１０とＰ−ＧＷ２０又はＳ−ＧＷ３０との間には、次世代通信方式の論理的な通信路であるＥＰＳベアラが設定される。かかるＥＰＳベアラを介して、ＰＤＮ（不図示）から着信されたパケットがＥ−ＵＴＲＡＮ２の無線ゾーンに在圏するＵＥ１０に伝送される。具体的には、ＰＤＮ（不図示）から着信されたパケットは、Ｐ−ＧＷ２０あるいはＳ−ＧＷ３０において、ＴＦＴ（Ｔｒａｆｆｉｃ  Ｆｌｏｗ  Ｔｅｍｐｌａｔｅ）に従って判別され、当該パケットのフロー毎にＥＰＳベアラにマッピングされ、マッピングされたＥＰＳベアラを介して伝送される。
【００２６】
また、図１に示す移動通信システムでは、ＵＴＲＡＮ／ＧＥＲＡＮ４の無線ゾーンに在圏するＵＥ１０とＳＧＳＮ６０との間に、第２／第３世代通信方式の論理的な通信路であるＵＭＴＳ／ＧＰＲＳベアラが設定される。かかるＵＭＴＳ／ＧＰＲＳベアラは、ＳＧＳＮ６０とＳ−ＧＷ３０又はＰ−ＧＷ２０との間に設定されるＥＰＳベアラに連接される。かかるＵＭＴＳ／ＧＰＲＳベアラとＥＰＳベアラとを介して、ＰＤＮ（不図示）から着信されたパケットがＵＴＲＡＮ／ＧＥＲＡＮ４の無線ゾーンに在圏するＵＥ１０に伝送される。
【００２７】
また、図１に示す移動通信システムでは、Ｅ−ＵＴＲＡＮ２又はＵＴＲＡＮ／ＧＥＲＡＮ４の無線ゾーンに在圏するＵＥ１０とＰ−ＧＷ２０との間には、上述のＰＤＮコネクションを設定する際にデフォルトベアラが設定される。
【００２８】
＜移動通信システムの詳細構成＞
以下、第１の実施形態では、コアネットワーク装置であるＭＭＥ４０及びＳＧＳＮ６０において、アイドル状態のＵＥ１０の呼び出し判断を行う場合について説明する。図２は、第１の実施形態に係る移動通信システムにおける呼び出し処理の機能構成図である。なお、図２では、Ｅ−ＵＴＲＡＮ２とＵＴＲＡＮ／ＧＥＲＡＮ４との無線ゾーン間を移動するアイドル状態のＵＥ１０が位置登録エリアを更新する頻度を低減するためのＩＳＲ（Ｉｄｌｅ  Ｓｔａｔｅ  Ｒｅｄｕｃｔｉｏｎ）が適用されているものとする。
【００２９】
図２に示すように、Ｐ−ＧＷ２０は、ＰＤＮ（不図示）から、アイドル状態のＵＥ１０に対する異なる通信ベアラ（ここでは、情報Ａと情報Ｂ）に属するパケットを受信する。Ｐ−ＧＷ２０は、通信ベアラ毎にパケットをカプセリングし、ＧＴＰ−Ｕパケット又はＧＲＥ（Generic Routing Encapsulation）パケットとしてＳ−ＧＷ３０に送信する。
【００３０】
Ｓ−ＧＷ３０は、Ｐ−ＧＷ２０で着信されたアイドル状態のＵＥ１０に対するパケットの着信種別を示す着信種別情報を、「Ｄｏｗｎｌｉｎｋ  Ｄａｔａ  Ｎｏｔｉｆｉｃａｔｉｏｎ」に設定する。ここで、「Ｄｏｗｎｌｉｎｋ  Ｄａｔａ  Ｎｏｔｉｆｉｃａｔｉｏｎ」とは、アイドル状態のＵＥ１０の呼び出しを要求する呼び出し要求信号である。
【００３１】
具体的には、Ｓ−ＧＷ３０は、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに基づいて、着信種別情報を設定する。
【００３２】
ここで、ベアラ識別情報とは、Ｐ−ＧＷ２０で着信されたパケットを伝送するベアラの識別情報である。ベアラ識別情報には、例えば、上述のＥＰＳベアラを識別する「ＥＰＳベアラＩＤ」や、上述のＧＰＲＳ／ＵＭＴＳベアラを識別「ＧＰＲＳ／ＵＭＴＳベアラＩＤ」などが含まれる。
【００３３】
また、ベアラＱｏＳ情報とは、Ｐ−ＧＷ２０で着信されたパケットを伝送するためのベアラのＱｏＳを示す情報である。ベアラＱｏＳ情報には、例えば、上述のＥＰＳベアラを設定・変更する場合のＥＰＳベアラ間の相対的な優先順位を示す「ＡＲＰ：Ａｌｌｏｃａｔｉｏｎ  ａｎｄ  Ｒｅｔｅｎｔｉｏｎ  Ｐｒｉｏｒｉｔｙ」や、上述のＥＰＳベアラやＵＭＴＳ／ＧＰＲＳベアラが、転送レートが保障されるＧＢＲベアラである場合に、当該ＧＰＲベアラの保障転送レートを示す「ＧＢＲ：Ｇｕａｒａｎｔｅｅｄ  Ｂｉｔ  Ｒａｔｅ」や、当該ＧＢＲベアラの最大ビットレートを示す「ＭＢＲ：Ｍａｘｉｍｕｍ  Ｂｉｔ  Ｒａｔｅ」や、上述のＥＰＳベアラやＵＭＴＳ／ＧＰＲＳベアラのＱｏＳクラスを示す「ＱＣＩ：ＱｏＳ  Ｃｌａｓｓ  Ｉｄｅｎｔｉｆｉｅｒ」などが含まれる。
【００３４】
また、デフォルトベアラ情報とは、上述のようにＵＥ１０とＰ−ＧＷ２０との間に設定されるデフォルトベアラの情報である。デフォルトベアラ情報には、例えば、デフォルトベアラを識別する「デフォルトベアラＩＤ」や、当該デフォルトベアラのＱｏＳを示す情報などが含まれる。
【００３５】
また、Ｐ−ＧＷ情報（第１ゲートウェイ装置情報）とは、ＰＤＮ（不図示）からアイドル状態のＵＥ１０に対するパケットを着信したＰ−ＧＷ２０の情報である。Ｐ−ＧＷ情報には、例えば、Ｐ−ＧＷ２０を識別するＰ−ＧＷ識別子や、Ｐ−ＧＷ２０で終端するＧＴＰトンネルの終端識別子である「ＴＥＩＤ：Ｔｕｎｎｅｌ  Ｅｎｄｐｏｉｎｔ  Ｉｄｅｎｔｉｆｉｅｒ」やＧＰＥトンネルの終端識別子である「ＧＲＥ  Ｋｅｙ」、Ｐ−ＧＷ２０のＩＰアドレスなどである。
【００３６】
また、ＰＤＮコネクション情報とは、Ｐ−ＧＷ２０で着信されたパケットを伝送するために、Ｐ−ＧＷ２０を介してＵＥ１０とＰＤＮ（不図示）との間で設定される上述のＰＤＮコネクションの情報である。ＰＤＮコネクション情報には、例えば、上述のＰＤＮ（不図示）とＰＤＮ（不図示）への接続点であるＰ−ＧＷ２０との双方を識別する「ＡＰＮ：Ａｃｃｅｓｓ  Ｐｏｉｎｔ  Ｎａｍｅ」などが含まれる。
【００３７】
また、フロー識別情報とは、Ｐ−ＧＷ２０で着信されたＩＰパケットのサービスデータフローの識別情報である。フロー識別情報には、例えば、「ＴＦＴ：Ｔｒａｆｆｉｃ  Ｆｌｏｗ  Ｔｅｍｐｌａｔｅ」などが含まれる。また、Ｓ−ＧＷ負荷情報（第２ゲートウェイ装置負荷情報）とは、Ｓ−ＧＷ３０の負荷を示す情報である。
【００３８】
なお、着信種別情報は、以上のような、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つをそのまま含んでいてもよい。また、着信種別情報は、以上のような、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに関連づけられたパラメータ（例えば、１：着信種別１、２：着信種別２、３：着信種別３など）であってもよい。
【００３９】
Ｓ−ＧＷ３０は、Ｓ−ＧＷ３０に接続されるコアネットワーク装置に対して、着信種別情報を含む「Ｄｏｗｎｌｉｎｋ  Ｄａｔａ  Ｎｏｔｉｆｉｃａｔｉｏｎ」を送信する。具体的には、Ｓ−ＧＷ３０は、ＥＰＣ１に設けられるコアネットワーク装置であるＭＭＥ４０とＵＭＴＳ／ＧＰＲＳコアネットワーク３に設けられるコアネットワーク装置であるＳＧＳＮ６０とに対して、着信種別情報を含む「Ｄｏｗｎｌｉｎｋ  Ｄａｔａ  Ｎｏｔｉｆｉｃａｔｉｏｎ」を送信する。
【００４０】
ＥＰＣ１に設けられるコアネットワーク装置であるＭＭＥ４０は、Ｓ−ＧＷ３０からの「Ｄｏｗｎｌｉｎｋ  Ｄａｔａ  Ｎｏｔｉｆｉｃａｔｉｏｎ」に含まれる着信種別情報に基づいて、Ｅ−ＵＴＲＡＮ２の無線ゾーンに在圏するＵＥ１０の呼び出しを行うか否かを判断する。ＭＭＥ４０は、所定の着信種別情報である場合、Ｅ−ＵＴＲＡＮ２に設けられる無線アクセスネットワーク装置であるｅＮｏｄｅＢ５０に対して、「Ｐａｇｉｎｇ」を送信する。ここで、「Ｐａｇｉｎｇ」は、ＵＥ１０を呼び出すための呼び出し信号である。ｅＮｏｄｅＢ５０は、ＭＭＥ４０からの「Ｐａｇｉｎｇ」に応じて、ＵＥ１０に対して、「Ｐａｇｉｎｇ」を送信する。
【００４１】
同様に、ＵＭＴＳ／ＧＰＲＳコアネットワーク３に設けられるコアネットワーク装置であるＳＧＳＮ６０は、Ｓ−ＧＷ３０からの「Ｄｏｗｎｌｉｎｋ  Ｄａｔａ  Ｎｏｔｉｆｉｃａｔｉｏｎ」に含まれる着信種別情報に基づいて、ＵＴＲＡＮ／ＧＥＲＡＮ４の無線ゾーンに在圏するＵＥ１０の呼び出しを行うか否かを判断する。ＳＧＳＮ６０は、所定の着信種別情報である場合、ＵＴＲＡＮ／ＧＥＲＡＮ４に設けられる無線アクセスネットワーク装置であるＲＮＣ／ＢＳＣ７０に対して、「Ｐａｇｉｎｇ」を送信する。ＲＮＣ／ＢＳＣ７０は、ＳＧＳＮ６０からの「Ｐａｇｉｎｇ」に応じて、ＵＥ１０に対して、「Ｐａｇｉｎｇ」を送信する。
【００４２】
以上のように、第１の実施形態に係る移動通信システムでは、Ｓ−ＧＷ３０が、Ｐ−ＧＷ２０で受信したアイドル状態のＵＥ１０に対するパケットの着信種別情報を「Ｄｏｎｗｌｉｎｋ  Ｄａｔａ  Ｎｏｔｉｆｉｃａｔｉｏｎ」に設定するので、コアネットワーク装置であるＭＭＥ４０とＳＧＳＮ６０とは、それぞれ、「Ｄｏｎｗｌｉｎｋ  Ｄａｔａ  Ｎｏｔｉｆｉｃａｔｉｏｎ」に含まれる着信種別情報に基づいて、ＵＥ１０の呼び出しを行うべきか否かを判断できる。したがって、ＭＭＥ４０やＳＧＳＮ６０は、例えば、自装置が輻輳状態である場合など通常ＵＥ１０の呼び出し規制が行われる状況であっても、着信種別情報の内容によってはＵＥ１０の呼び出しを行うことができる。
【００４３】
また、第１の実施形態に係る移動通信システムでは、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに基づいて、着信種別情報が設定されるので、コアネットワーク装置であるＭＭＥ４０とＳＧＳＮ６０とにおいて、ベアラ毎、ベアラのＱｏＳ毎、ＰＤＮコネクション毎、フロー毎、或いは、これらの組み合わせなどの詳細な条件で、ＵＥ１０の呼び出しを行うか否かを判断でき、柔軟な呼び出し制御を行うことができる。
【００４４】
なお、図２に示す呼び出し処理では、Ｓ−ＧＷ３０が、ＭＭＥ４０とＳＧＳＮ６０との双方に対して着信種別情報を含む「Ｄｏｗｎｌｉｎｋ  Ｄａｔａ  Ｎｏｔｏｆｉｃａｔｉｏｎ」を送信し、ＭＭＥ４０とＳＧＳＮ６０とが、それぞれ、着信種別情報に基づいてＵＥ１０の呼び出しを行うか否かを判断する例を説明した。しかしながら、本発明は、かかる例に限られるものではなく、ＭＭＥ４０又はＳＧＳＮ６０のいずれか一方に対して着信種別情報を含む「Ｄｏｎｗｌｉｎｋ  Ｄａｔａ  Ｎｏｔｉｆｉｃａｔｉｏｎ」を送信し、いずれか一方が着信種別情報に基づいてＵＥ１０の呼び出しを行うか否かを判断してもよい。
【００４５】
また、本発明のＵＥ１０の呼び出し判断を行うコアネットワーク装置は、ＥＰＣ１に設けられるＭＭＥ４０や、ＵＭＴＳ／ＧＰＲＳコアネットワーク３に設けられるＳＧＳＮ６０に限られるものではなく、他の通信方式のコアネットワークに設けられたＵＥ１０の呼び出し用の装置であってもよい。同様に、本発明の無線アクセスネットワーク装置は、Ｅ−ＵＴＲＡＮ２に設けられるｅＮｏｄｅＢ５０や、ＵＴＲＡＮ／ＧＥＲＡＮ４に設けられるＲＮＣ／ＢＳＣ７０に限られるものではなく、他の通信方式の無線アクセスネットワークに設けられたＵＥ１０の呼び出し用の装置であってもよい。
【００４６】
また、図２に示す各装置（すなわち、Ｐ−ＧＷ２０、Ｓ−ＧＷ３０、ＭＭＥ４０、ｅＮｏｄｅＢ５０、ＳＧＳＮ６０、ＲＮＣ／ＢＳＣ７０）は、通信インタフェース、プロセッサ、メモリ、送受信回路などを含むハードウェアを有しており、メモリには、プロセッサによって実行されるソフトウェアモジュールが記憶されている。上述した各装置の機能構成は、上述のハードウェアによって実現されてもよいし、プロセッサによって実行されるソフトウェアモジュールによって実現されてもよいし、両者の組み合わせによって実現されてもよい。
【００４７】
＜移動通信システムの動作＞
次に、図３及び図４を参照し、以上のように構成された第１の実施形態に係る移動通信システムにおける呼び出し動作について説明する。なお、以下の動作には、上述のＩＳＲが適用されているものとする。
【００４８】
図３に示すように、Ｐ−ＧＷ２０は、ＰＤＮ（不図示）からのパケットを着信する（ステップＳ１０１）。Ｐ−ＧＷ２０は、着信したパケットをカプセリングし、ＧＴＰ−Ｕパケット又はＧＲＥパケットとしてＳ−ＧＷ３０に送信する（ステップＳ１０２）。
【００４９】
Ｓ−ＧＷ３０は、Ｐ−ＧＷ２０からのＧＴＰ−Ｕパケット又はＧＲＥパケットの受信に応じて、Ｐ−ＧＷ２０におけるパケット着信の種別を示す着信種別情報を「Ｄｏｗｎｌｉｎｋ  Ｄａｔａ  Ｎｏｔｉｆｉｃａｔｉｏｎ」に設定する（ステップＳ１０３）。具体的には、上述のように、Ｓ−ＧＷ３０は、ベアラ識別情報、ベアラＱｏＳ情報、デフォルトベアラ情報、Ｐ−ＧＷ情報、ＰＤＮコネクション情報、フロー識別情報及びＳ−ＧＷ負荷情報の少なくとも一つに基づいて、着信種別情報を設定する。
【００５０】
Ｓ−ＧＷ３０は、ＭＭＥ４０に対して、着信種別情報を含む「Ｄｏｗｎｌｉｎｋ  Ｄａｔａ  Ｎｏｔｉｆｉｃａｔｉｏｎ」を送信する（ステップＳ１０４ａ）。ＭＭＥ４０は、着信種別情報を含む「Ｄｏｗｎｌｉｎｋ  Ｄａｔａ  Ｎｏｔｉｆｉｃａｔｉｏｎ」をＳ−ＧＷ３０から受信した場合、その旨を示す「Ｄｏｗｎｌｉｎｋ  Ｄａｔａ  Ｎｏｔｉｆｉｃａｔｉｏｎ  Ａｃｋ」をＳ−ＧＷ３０に送信する（ステップＳ１０５ａ）。ＭＭＥ４０は、Ｓ−ＧＷ３０からの「Ｄｏｗｎｌｉｎｋ  Ｄａｔａ  Ｎｏｔｉｆｉｃａｔｉｏｎ」に含まれる着信種別情報に基づいて、Ｅ−ＵＴＲＡＮ２の無線ゾーンに在圏するＵＥ１０の呼び出しを行うか否かを判断する（ステップＳ１０６ａ）。図４を参照し、ステップＳ１０６ａにおける呼び出し処理について詳述する。図４は、ＭＭＥ４０における呼び出し処理を示すフローチャートである。
【００５１】
図４に示すように、ＭＭＥ４０は、Ｓ−ＧＷ３０から「Ｄｏｗｎｌｉｎｋ  Ｄａｔａ  Ｎｏｔｉｆｉｃａｔｉｏｎ」を受信した場合、ＭＭＥ４０において呼び出し規制が行われているか否かを判断する（ステップＳ２０１）。呼び出し規制は、例えば、ＭＭＥ４０が輻輳状態である場合やオペレータによって特定の加入者単位あるいは全加入者に対して呼び出し規制を行うことが指示された場合に行われる。なお、本ステップは、省略可能であり、本フローチャートは、ステップＳ２０３から開始されてもよい。
【００５２】
ＭＭＥ４０において呼び出し規制が行われていない場合（ステップＳ２０１；Ｎｏ）、ＭＭＥ４０は、ｅＮｏｄｅＢ５０に対して、アイドル状態のＵＥ１０を呼び出す「Ｐａｇｉｎｇ」を送信する（ステップＳ２０２）。
【００５３】
ＭＭＥ４０において呼び出し規制が行われている場合（ステップＳ２０１；Ｙｅｓ）、ＭＭＥ４０は、Ｓ−ＧＷ３０からの「Ｄｏｗｎｌｉｎｋ  Ｄａｔａ  Ｎｏｔｉｆｉｃａｔｉｏｎ」に着信種別情報が含まれているか否かを判断する（ステップＳ２０３）。
【００５４】
Ｓ−ＧＷ３０からの「Ｄｏｗｎｌｉｎｋ  Ｄａｔａ  Ｎｏｔｉｆｉｃａｔｉｏｎ」に着信種別情報が含まれていない場合（ステップＳ２０３；Ｎｏ）、ＭＭＥ４０は、一般呼出規制に従って、アイドル状態のＵＥ１０を呼び出す「Ｐａｇｉｎｇ」を送信するか否かを判断する（ステップＳ２０４）。かかる一般呼出規制では、ＭＭＥ４０が輻輳状態である場合や、オペレータによって設定された所定の条件が満たされた場合（例えば、特定の加入者単位あるいは全加入者が指定された場合）などに、上述の着信種別情報に関係なく、「Ｐａｇｉｎｇ」の送信が中止される。ＭＭＥ４０は、一般呼出規制に従って「Ｐａｇｉｎｇ」の送信が中止された場合、Ｓ−ＧＷ３０やＰ−ＧＷ２０などとの間で着信失敗処理を行う。一方、ＭＭＥ４０は、一般呼出規制に従って「Ｐａｇｉｎｇ」の送信が中止されなかった場合、ｅＮｏｄｅＢ５０に対して、「Ｐａｇｉｎｇ」を送信する。
【００５５】
Ｓ−ＧＷ３０からの「Ｄｏｗｎｌｉｎｋ  Ｄａｔａ  Ｎｏｔｉｆｉｃａｔｉｏｎ」に着信種別情報が含まれる場合（ステップＳ２０３；Ｙｅｓ）、ＭＭＥ４０は、当該着信種別情報に基づいて、ＵＥ１０を優先的に呼び出すべき着信であるか否かを判断する（ステップＳ２０５）。
【００５６】
ＵＥ１０を優先的に呼び出すべき着信であると判断された場合（ステップＳ２０５；Ｙｅｓ）、ＭＭＥ４０は、特定呼出規制に従って、アイドル状態のＵＥ１０を呼び出す「Ｐａｇｉｎｇ」を送信するか否かを判断する（ステップＳ２０６）。かかる特定呼出規制では、上述の着信種別情報が所定の条件を満たす場合に、「Ｐａｇｉｎｇ」の送信が中止される。ＭＭＥ４０は、特定呼出規制に従って「Ｐａｇｉｎｇ」の送信が中止された場合、Ｓ−ＧＷ３０やＰ−ＧＷ２０などとの間で着信失敗処理を行う。一方、ＭＭＥ４０は、特定呼出規制に従って「Ｐａｇｉｎｇ」の送信が中止されなかった場合、ｅＮｏｄｅＢ５０に対して、「Ｐａｇｉｎｇ」を送信する。
【００５７】
ＵＥ１０を優先的に呼び出すべき着信ではないと判断された場合（ステップＳ２０５；Ｎｏ）、ＭＭＥ４０は、一般呼出規制に従って、アイドル状態のＵＥ１０を呼び出す「Ｐａｇｉｎｇ」の送信を中止する（ステップＳ２０７）。なお、本ステップの処理内容は、ステップＳ２０４と同様であるため、説明を省略する。
【００５８】
以上のように、図３のステップＳ１０６ａでは、ＭＭＥ４０における呼び出し判断処理が行われる。図４のステップＳ２０６において「Ｐａｇｉｎｇ」の送信が中止されなかった場合、ＭＭＥ４０は、ｅＮｏｄｅＢ５０に対して、「Ｐａｇｉｎｇ」を送信する（ステップＳ１０７ａ）。ｅＮｏｄｅＢ５０は、ｅＮｏｄｅＢ５０からの「Ｐａｇｉｎｇ」に応じて、Ｅ−ＵＴＲＡＮ２の無線ゾーンに在圏するＵＥ１０に対して、「Ｐａｇｉｎｇ」を送信する（ステップＳ１０８ａ）。
【００５９】
以上のステップＳ１０４ａ〜Ｓ１０８ａと同様の処理が、ステップＳ１０４ｂ〜Ｓ１０８ｂでも行われる。なお、ステップＳ１０４ａ〜Ｓ１０８ａにおけるＭＭＥ４０及びｅＮｏｄｅＢ５０は、それぞれ、ステップＳ１０４ｂ〜Ｓ１０８ｂにおけるＳＧＳＮ６０及びＲＮＣ／ＢＳＣ７０に対応するものとする。なお、ステップＳ１０６ｂでは、図４のステップＳ２０１〜Ｓ２０７に示す呼び出し判断処理が、ＳＧＳＮ６０で行われるものとする。
【００６０】
ＵＥ１０は、Ｅ−ＵＴＲＡＮ２の無線ゾーンに位置する場合、ｅＮｏｄｅＢ５０から送信された「Ｐａｇｉｎｇ」に応じて、ｅＮｏｄｅＢ５０とＭＭＥ４０とＳ−ＧＷ３０との間で、パケットの着信処理を行う（ステップＳ１０９）。或いは、ＵＥ１０は、ＵＴＲＡＮ／ＧＥＲＡＮ４の無線ゾーンに位置する場合、ＳＧＳＮ６０から送信された「Ｐａｇｉｎｇ」に応じて、ＲＮＣ／ＢＳＣ７０とＳＧＳＮ６０とＳ−ＧＷ３０との間で、パケットの着信処理を行う。
【００６１】
Ｓ−ＧＷ３０は、ステップＳ１０９の着信処理が完了すると、ＭＭＥ４０とＳＧＳＮ６０との双方に対して、「Ｐａｇｉｎｇ」の送信停止を要求する「Ｓｔｏｐ  Ｐａｇｉｎｇ」を送信する（ステップＳ１１０ａ及びＳ１１０ｂ）。
【００６２】
Ｓ−ＧＷ３０は、ＵＥ１０がＥ−ＵＴＲＡＮ２の無線ゾーンに位置する場合、ＵＥ１０に対して、ｅＮｏｄｅＢ５０を介して、ステップＳ１０２で受信したパケットを送信する（ステップＳ１１１ａ）。或いは、Ｓ−ＧＷ３０は、ＵＥ１０がＵＴＲＡＮ／ＧＥＲＡＮ４の無線ゾーンに位置する場合、ＵＥ１０に対して、ＳＧＳＮ６０及びＲＮＣ／ＢＳＣ７０及び不図示のＮｏｄｅＢを介して、或いは、ＲＮＣ／ＢＳＣ７０及び不図示のＮｏｄｅＢを介して、ステップＳ１０２で受信したパケットを送信する（ステップＳ１１１ｂ）。
【００６３】
＜作用・効果＞
第１の実施形態に係る移動通信システムによれば、Ｓ−ＧＷ３０が、Ｐ−ＧＷ２０で着信されたアイドル状態のＵＥ１０に対するパケットの着信種別情報を「Ｄｏｎｗｌｉｎｋ  Ｄａｔａ  ｎｏｔｉｆｉｃａｔｉｏｎ」に設定するので、ＭＭＥ４０とＳＧＳＮ６０とは、それぞれ、「Ｄｏｎｗｌｉｎｋ  Ｄａｔａ  Ｎｏｔｉｆｉｃａｔｉｏｎ」に含まれる着信種別情報に基づいて、ＵＥ１０の呼び出しを行うべきか否かを判断できる。したがって、ＭＭＥ４０やＳＧＳＮ６０は、例えば、自装置が輻輳状態である場合など通常ＵＥ１０の呼び出し規制が行われる状況であっても、着信種別情報の内容によってはＵＥ１０の呼び出しを行うことができる。
【００６４】
また、第１の実施形態に係る移動通信システムでは、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに基づいて、着信種別情報が設定されるので、コアネットワーク装置であるＭＭＥ４０とＳＧＳＮ６０とにおいて、ベアラ毎、ベアラのＱｏＳ毎、ＰＤＮコネクション毎、フロー毎、或いは、これらの組み合わせなどの詳細な条件で、ＵＥ１０の呼び出しを行うか否かを判断でき、柔軟な呼び出し制御を行うことができる。
【００６５】
［第２の実施形態］
第２の実施形態では、無線アクセスネットワーク装置（ｅＮｏｄｅＢ５０、ＲＮＣ／ＢＳＣ７０）においてアイドル状態のＵＥ１０の呼び出し判断を行う場合について、第１の実施形態との相違点を中心に説明する。
【００６６】
＜移動通信システムの詳細構成＞
図５は、第２の実施形態に係る移動通信システムにおける呼び出し処理の機能構成図である。なお、図５では、第１の実施形態と同様に、ＩＳＲが適用されているものとする。
【００６７】
図５に示すように、ＥＰＣ１に設けられるコアネットワーク装置であるＭＭＥ４０は、Ｓ−ＧＷ３０からの「Ｄｏｗｎｌｉｎｋ  Ｄａｔａ  Ｎｏｔｉｆｉｃａｔｉｏｎ」に含まれる着信種別情報に基づいて、Ｅ−ＵＴＲＡＮ２の無線ゾーンに在圏するＵＥ１０を呼び出すための呼出情報を「Ｐａｇｉｎｇ」に設定する。具体的には、ＭＭＥ４０は、着信種別情報によって判別される情報と、ＵＥ１０の能力情報との少なくとも一つに基づいて、呼出情報を設定する。ＭＭＥ４０は、ｅＮｏｄｅＢ５０に対して、呼出情報を含む「Ｐａｇｉｎｇ」を送信する。
【００６８】
ここで、着信種別情報によって判別される情報とは、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報との少なくとも一つである。また、ＵＥ１０の能力情報には、例えば、ＵＥ１０の無線アクセス能力を示す「ＵＥ  Ｒａｄｉｏ  Ａｃｃｅｓｓ  Ｃａｐａｂｉｌｉｔｙ」などが含まれる。
【００６９】
なお、呼出情報は、以上のような、着信種別情報によって判別される情報と、ＵＥ１０の能力情報との少なくとも一つを、そのまま含んでいてもよい。また、呼出情報は、着信種別情報によって判別される情報と、ＵＥ１０の能力情報との少なくとも一つに関連づけられたパラメータであってもよい。このようなパラメータとしては、例えば、ＵＥ１０を呼び出す優先度を示す呼出優先度（例えば、１：優先度高、２：優先度中、３：優先度低３など）などがある。
【００７０】
Ｅ−ＵＴＲＡＮ２に設けられる無線アクセスネットワーク装置であるｅＮｏｄｅＢ５０は、ＭＭＥ４０からの「Ｐａｇｉｎｇ」に含まれる呼出情報に基づいて、Ｅ−ＵＴＲＡＮ２の無線ゾーンに在圏するＵＥ１０の呼び出しを行うか否かを判断する。ｅＮｏｄｅＢ５０は、所定の着信種別情報である場合、ＵＥ１０に対して、「Ｐａｇｉｎｇ」を送信する。
【００７１】
同様に、ＵＭＴＳ／ＧＰＲＳコアネットワーク３に設けられるコアネットワーク装置であるＳＧＳＮ６０は、Ｓ−ＧＷ３０からの「Ｄｏｗｎｌｉｎｋ  Ｄａｔａ  Ｎｏｔｉｆｉｃａｔｉｏｎ」に含まれる着信種別情報に基づいて、ＵＴＲＡＮ／ＧＥＲＡＮ４の無線ゾーンに在圏するＵＥ１０を呼び出すための呼出情報を「Ｐａｇｉｎｇ」に設定する。ＳＧＳＮ６０は、ＲＮＣ／ＢＳＣ７０に対して、呼出情報を含む「Ｐａｇｉｎｇ」を送信する。
【００７２】
ＵＴＲＡＮ／ＧＥＲＡＮ４に設けられる無線アクセスネットワーク装置であるＲＮＣ／ＢＳＣ７０は、ＳＧＳＮ６０からの「Ｐａｇｉｎｇ」に含まれる呼出情報に基づいて、ＵＴＲＡＮ／ＧＥＲＡＮ４の無線ゾーンに在圏するＵＥ１０の呼び出しを行うか否かを判断する。ＲＮＣ／ＢＳＣ７０は、所定の着信種別情報である場合、ＵＥ１０に対して、「Ｐａｇｉｎｇ」を送信する。
【００７３】
＜移動通信システムの動作＞
次に、図６及び図７を参照し、以上のように構成された第２の実施形態に係る移動通信システムにおける呼び出し動作について説明する。なお、以下の動作には、ＩＳＲが適用されているものとする。また、図６のステップＳ３０１〜Ｓ３０３、Ｓ３０４ａ〜Ｓ３０５ａ、Ｓ３０４ｂ〜Ｓ３０５ｂは、図３のステップＳ１０１〜Ｓ１０３、Ｓ１０４ａ〜Ｓ１０５ａ、Ｓ１０４ｂ〜Ｓ１０５ｂと同様であるため、説明を省略する。
【００７４】
図６に示すように、ＭＭＥ４０は、Ｓ−ＧＷ３０からの「Ｄｏｎｗｌｉｎｋ  Ｄａｔａ  Ｎｏｔｉｆｉｃａｔｉｏｎ」に含まれる着信種別情報に基づいて、アイドル状態のＵＥ１０を呼び出すための呼び出し情報を「Ｐａｇｉｎｇ」に設定する（ステップＳ３０６ａ）。具体的には、上述のように、ＭＭＥ４０は、着信種別情報によって判別される情報と、ＵＥ１０の能力情報との少なくとも一つに基づいて、呼出情報を設定する。ＭＭＥ４０は、ｅＮｏｄｅＢ５０に対して、呼出情報を含む「Ｐａｇｉｎｇ」を送信する（ステップＳ３０７ａ）。
【００７５】
ｅＮｏｄｅＢ５０は、ＭＭＥ４０からの「Ｐａｇｉｎｇ」に含まれる呼出情報に基づいて、Ｅ−ＵＴＲＡＮ２の無線ゾーンに在圏するＵＥ１０の呼び出しを行うか否かを判断する（ステップＳ３０８ａ）。図７を参照し、ステップＳ３０８ａにおける呼び出し判断処理について詳述する。図７は、ｅＮｏｄｅＢ５０における呼び出し判断処理を示すフローチャートである。
【００７６】
図７に示すように、ｅＮｏｄｅＢ５０は、ＭＭＥ４０から「Ｐａｇｉｎｇ」を受信した場合、ｅＮｏｄｅＢ５０において呼び出し規制が行われているか否かを判断する（ステップＳ４０１）。呼び出し規制は、例えば、ｅＮｏｄｅＢ５０が輻輳状態である場合やオペレータによって特定の加入者単位あるいは全加入者に対して呼び出し規制を行うことが指示された場合に行われる。なお、本ステップは、省略可能であり、本フローチャートは、ステップＳ４０３から開始されてもよい。
【００７７】
ｅＮｏｄｅＢ５０において呼び出し規制が行われていない場合（ステップＳ４０１；Ｎｏ）、ｅＮｏｄｅＢ５０は、アイドル状態のＵＥ１０を呼び出す「Ｐａｇｉｎｇ」を送信する（ステップＳ４０２）。
【００７８】
ｅＮｏｄｅＢ５０において呼び出し規制が行われている場合（ステップＳ４０１；Ｙｅｓ）、ｅＮｏｄｅＢ５０は、ＭＭＥ４０からの「Ｐａｇｉｎｇ」に呼出情報が含まれているか否かを判断する（ステップＳ４０３）。
【００７９】
ＭＭＥ４０からの「Ｐａｇｉｎｇ」に呼出情報が含まれていない場合（ステップＳ４０３；Ｎｏ）、ｅＮｏｄｅＢ５０は、一般呼出規制に従って、アイドル状態のＵＥ１０を呼び出す「Ｐａｇｉｎｇ」を送信するか否かを判断する（ステップＳ４０４）。かかる一般呼出規制では、ｅＮｏｄｅＢ５０が輻輳状態である場合や、オペレータによって設定された所定の条件が満たされた場合（例えば、特定の加入者単位あるいは全加入者が指定された場合）などに、上述の呼出情報に関係なく、「Ｐａｇｉｎｇ」の送信が中止される。ｅＮｏｄｅＢ５０は、一般呼出規制に従って「Ｐａｇｉｎｇ」の送信が中止された場合、ＭＭＥ４０やＳ−ＧＷ３０やＰ−ＧＷ２０などとの間で着信失敗処理を行う。一方、ｅＮｏｄｅＢ５０は、一般呼出規制に従って「Ｐａｇｉｎｇ」の送信が中止されなかった場合、ＵＥ１０に対して、「Ｐａｇｉｎｇ」を送信する。
【００８０】
ＭＭＥ４０からの「Ｐａｇｉｎｇ」に呼出情報が含まれている場合（ステップＳ４０３；Ｙｅｓ）、ｅＮｏｄｅＢ５０は、当該呼出情報に基づいて、ＵＥ１０を優先的に呼び出すべき着信であるか否かを判断する（ステップＳ４０５）。
【００８１】
ＵＥ１０を優先的に呼び出すべき着信であると判断された場合（ステップＳ４０５；Ｙｅｓ）、ｅＮｏｄｅＢ５０は、特定呼出規制に従って、アイドル状態のＵＥ１０を呼び出す「Ｐａｇｉｎｇ」を送信するか否かを判断する（ステップＳ４０６）。かかる特定呼出規制では、上述の呼出情報が所定の条件を満たす場合に、「Ｐａｇｉｎｇ」の送信が中止される。ｅＮｏｄｅＢ５０は、特定呼出規制に従って「Ｐａｇｉｎｇ」の送信が中止された場合、ＭＭＥ４０やＳ−ＧＷ３０やＰ−ＧＷ２０などとの間で着信失敗処理を行う。一方、ｅＮｏｄｅＢ５０は、特定呼出規制に従って「Ｐａｇｉｎｇ」の送信が中止されなかった場合、ＵＥ１０に対して、「Ｐａｇｉｎｇ」を送信する。
【００８２】
ＵＥ１０を優先的に呼び出すべき着信ではないと判断された場合（ステップＳ４０５；Ｎｏ）、ＭＭＥ４０は、一般呼出規制に従って、アイドル状態のＵＥ１０を呼び出す「Ｐａｇｉｎｇ」を送信するか否かを判断する（ステップＳ４０７）。なお、本ステップの処理内容は、ステップＳ４０４と同様であるため、説明を省略する。
【００８３】
以上のように、図６のステップＳ３０８ａでは、ｅＮｏｄｅＢ５０における呼び出し判断処理が行われる。上述の図７のステップＳ４０６において「Ｐａｇｉｎｇ」の送信が中止されなかった場合、ｅＮｏｄｅＢ５０は、ＵＥ１０に対して、「Ｐａｇｉｎｇ」を送信する（ステップＳ３０９ａ）。
【００８４】
以上のステップＳ３０６ａ〜Ｓ３０９ａと同様の処理が、ステップＳ３０６ｂ〜Ｓ３０９ｂでも行われる。なお、ステップＳ３０６ａ〜Ｓ３０９ａにおけるＭＭＥ４０及びｅＮｏｄｅＢ５０は、それぞれ、ステップＳ３０６ｂ〜Ｓ３０９ｂにおけるＳＧＳＮ６０及びＲＮＣ／ＢＳＣ７０に対応するものとする。なお、ステップＳ３０８ｂでは、図７のステップＳ４０１〜Ｓ４０７に示す呼び出し判断処理が、ＲＮＣ／ＢＳＣ７０で行われるものとする。
【００８５】
図６のステップＳ３１０、Ｓ３１１ａ〜Ｓ３１２ａ、Ｓ３１１ｂ〜Ｓ３１２ｂは、図３のステップＳ１０９、Ｓ１１０ａ〜Ｓ１１１ａ、Ｓ１１０ｂ〜Ｓ１１１ｂと同様であるため、説明を省略する。
【００８６】
＜作用・効果＞
第２の実施形態に係る移動通信システムによれば、ＭＭＥ４０とＳＧＳＮ６０とが、それぞれ、Ｓ−ＧＷ３０からの「Ｄｏｎｗｌｉｎｋ  Ｄａｔａ  Ｎｏｔｉｆｉｃａｔｉｏｎ」に含まれる着信種別情報に基づいて呼出情報を「Ｐａｇｉｎｇ」に設定するので、ｅＮｏｄｅＢ５０とＲＮＣ／ＢＳＣ７０とは、それぞれ、「Ｐａｇｉｎｇ」に含まれる呼出情報に基づいて、ＵＥ１０の呼び出しを行うべきか否かを判断できる。したがって、ｅＮｏｄｅＢやＲＮＣ／ＢＳＣ７０は、例えば、自装置が輻輳状態である場合など通常ＵＥ１０の呼び出し規制が行われる状況であっても、呼出情報の内容によってはＵＥ１０の呼び出しを行うことができる。
【００８７】
また、第２の実施形態に係る移動通信システムでは、着信種別情報によって判別される情報（ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報など）と、ＵＥ１０の能力情報との少なくとも一つに基づいて、呼出情報が設定されるので、ｅＮｏｄｅＢ５０とＲＮＣ／ＢＳＣ７０とにおいて、ベアラ毎、ベアラのＱｏＳ毎、ＰＤＮコネクション毎、フロー毎、或いは、これらの組み合わせなどの詳細な条件で、ＵＥ１０の呼び出しを行うか否かを判断でき、柔軟な呼び出し制御を行うことができる。
【００８８】
［第３の実施形態］
第３の実施形態では、Ｓ−ＧＷ３０においてアイドル状態のＵＥ１０の呼び出し判断を行う場合について、第１の実施形態との相違点を中心に説明する。
【００８９】
図８は、第３の実施形態に係る移動通信システムにおける呼び出し処理の機能構成図である。図８に示すように、Ｓ−ＧＷ３０は、上述のように、ベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに基づいて、アイドル状態のＵＥ１０の呼び出しを行うか否かを判断する。Ｓ−ＧＷ３０は、呼び出しを行うべきであると判断した場合、ＥＰＣ１に設けられるコアネットワーク装置であるＭＭＥ４０に対して、「Ｄｏｎｗｌｉｎｋ  Ｄａｔａ  Ｎｏｔｉｆｉｃａｔｉｏｎ」を送信する。同様に、Ｓ−ＧＷ３０は、ＵＭＴＳ／ＧＰＲＳコアネットワーク３に設けられるコアネットワーク装置であるＳＧＳＮ６０に対して、「Ｄｏｎｗｌｉｎｋ  Ｄａｔａ  Ｎｏｔｉｆｉｃａｔｉｏｎ」を送信する。
【００９０】
［変更例１］
次に、第１乃至第３実施形態の変更例１について説明する。変更例１では、Ｐ−ＧＷ２０が、着信したパケットの種別を示すパケット種別情報をＳ−ＧＷ３０に通知し、Ｓ−ＧＷ３０が、当該パケット種別情報に基づいて着信種別情報を「Ｄｏｎｗｌｉｎｋ  Ｄａｔａ  Ｎｏｔｉｆｉｃａｔｉｏｎ」に設定する。ここで、Ｐ−ＧＷ２０は受信したパケットに関する情報（例えば、受信パケットのＩＰヘッダに設定される情報（例えばＤＳＣＰコードポイントや、送信元サーバ情報（ＩＰアドレス、ポート番号等））や、パケットデータの内容（アプリケーション情報など）に基づいて、パケット種別情報を判断してもよい。
【００９１】
図９は、変更例１に係る移動通信システムにおける呼び出し処理の機能構成図である。図９に示すように、Ｐ−ＧＷ２０は、ＰＤＮ（不図示）から、アイドル状態のＵＥ１０に対するパケットを着信する。Ｐ−ＧＷ２０は、着信したパケットの種別を示すパケット種別情報をＧＴＰ−Ｕパケット又はＧＲＥパケットに設定し、当該ＧＴＰ−Ｕパケット又はＧＲＥパケットをＳ−ＧＷ３０に送信する。Ｐ−ＧＷ２０からＳ−ＧＷ３０に通知するパケット種別情報は、例えばカプセル化したＧＴＰ−ＵあるいはＧＲＥパケットのＩＰヘッダ部であるＤＳＣＰコードポイントに設定されてもよい。かかる場合、パケット種別情報はＤＳＣＰコードポイントの値によって表現されるように設定されている。
【００９２】
Ｓ−ＧＷ３０は、Ｐ−ＧＷ２０からのパケット種別情報と、上述のベアラ識別情報と、ベアラＱｏＳ情報と、デフォルトベアラ情報と、Ｐ−ＧＷ情報と、ＰＤＮコネクション情報と、フロー識別情報と、Ｓ−ＧＷ負荷情報の少なくとも一つに基づいて、着信種別情報を「Ｄｏｗｎｌｉｎｋ  Ｄａｔａ  Ｎｏｔｉｆｉｃａｔｉｏｎ」に設定する。
【００９３】
変更例１に係る移動通信システムによれば、パケット種別情報に基づいて、着信種別情報が設定されるので、コアネットワーク装置であるＭＭＥ４０及びＳＧＳＮ６０、又は、無線アクセスネットワーク装置であるｅＮｏｄｅＢ５０及びＲＮＣ／ＢＳＣ７０において、１つのベアラ内を伝送されるパケット種別毎に、ＵＥ１０の呼び出しを行うべきか否かを判断でき、より柔軟な呼び出し制御を行うことができる。
【００９４】
［その他の実施形態]
上述の実施形態を用いて本発明について詳細に説明したが、当業者にとっては、本発明が本明細書中に説明した実施形態に限定されるものではないということは明らかである。
【００９５】
例えば、第１及び第２の実施形態を組み合わせて、コアネットワーク装置であるＭＭＥ４０及びＳＧＳＮ６０と、無線アクセスネットワーク装置であるｅＮｏｄｅＢ５０及びＲＮＣ／ＢＳＣ７０との双方において、アイドル状態のＵＥ１０の呼び出しを行うか否かを判断してもよい。同様に、第１及び第３の実施形態、第２及び第３の実施形態、第１乃至第３の実施形態を組み合わせて、アイドル状態のＵＥ１０の呼び出しを行うか否かを判断してもよい。
【００９６】
以上のように、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９７】
１…ＥＰＣ、２…Ｅ−ＵＴＲＡＮ、３…ＵＭＴＳ／ＧＰＲＳコアネットワーク、４…ＵＴＲＡＮ／ＧＥＲＡＮ、１０…ＵＥ、２０…Ｐ−ＧＷ、３０…Ｓ−ＧＷ、４０…ＭＭＥ、５０…ｅＮｏｄｅＢ、６０…ＳＧＳＮ、７０…ＲＮＣ／ＢＳＣ
【要約】
【課題】アイドル状態のＵＥ１０に対するパケットの着信があった場合に、当該ＵＥ１０の呼び出しを柔軟に行うことを可能とする。
【解決手段】本発明の呼び出し方法は、Ｐ−ＧＷ２０によってアイドル状態のＵＥ１０に対するパケットが着信された場合に、ＵＥ１０の呼び出しを行う呼び出し方法であって、Ｓ−ＧＷ３０が、Ｐ−ＧＷ２０で着信された前記パケットの着信種別情報を「Ｄｏｎｗｌｉｎｋ  Ｄａｔａ  Ｎｏｔｉｆｉｃａｔｉｏｎ」に設定し、該「Ｄｏｎｗｌｉｎｋ  Ｄａｔａ  Ｎｏｔｉｆｉｃａｔｉｏｎ」をＭＭＥ４０及びＳＧＳＮ６０に送信する工程と、ＭＭＥ４０及びＳＧＳＮ６０が、Ｓ−ＧＷ３０からの「Ｄｏｎｗｌｉｎｋ  Ｄａｔａ  Ｎｏｔｉｆｉｃａｔｉｏｎ」に含まれる着信種別情報に基づいて、ＵＥ１０の呼び出しを行うか否かを判断する工程と、を有する。
【選択図】図２【図１】
0004767357.tif 000002
【図２】
0004767357.tif 000003
【図３】
0004767357.tif 000004
【図４】
0004767357.tif 000005
【図５】
0004767357.tif 000006
【図６】
0004767357.tif 000007
【図７】
0004767357.tif 000008
【図８】
0004767357.tif 000009
【図９】
0004767357.tif 000010